(57)【特許請求の範囲】
【請求項１】
圧力容器と、
前記圧力容器内に収容される、逆浸透膜を含んで構成される逆浸透膜エレメントと、
を有する逆浸透膜モジュールを複数備え、
複数の前記逆浸透膜モジュールのうち、互いに隣接する前記逆浸透膜モジュールの前記圧力容器同士が当該圧力容器に設けられた被処理水の導出入ポートを介して直に連結され、
前記逆浸透膜エレメントには、前記圧力容器内に導入された前記被処理水を前記逆浸透膜がろ過して得られる透過水を前記圧力容器外に取り出す透過水取出配管が配設され、
前記圧力容器は、当該圧力容器内に前記被処理水を導き入れる導入ポートと、前記被処理水を前記逆浸透膜がろ過して得られる濃縮水を前記圧力容器外に送り出す導出ポートとを有し、
互いに隣接する前記逆浸透膜モジュールの前記圧力容器同士のうち、一方の前記圧力容器は、
他方の前記圧力容器の前記導入ポートと対応してこれに接続される分流用導出ポートと、
他方の前記圧力容器の前記導出ポートと対応してこれに接続される合流用導入ポートと、
をさらに有し、
前記圧力容器は、一方向に長く形成され、
互いに隣接する前記逆浸透膜モジュールの前記圧力容器同士のうち、一方の前記圧力容器の長さは、他方の前記圧力容器の長さよりも長くなるように設定され、
前記導出ポート及び前記導入ポートは、それぞれ前記圧力容器の長手方向の両端部に形成され、
前記合流用導入ポートは、他方の前記圧力容器の前記導出ポートの位置に対応させて前記圧力容器の長手方向の中間位置に形成されていることを特徴とする逆浸透処理装置。
【請求項２】
請求項１に記載の逆浸透処理装置において、
一方の前記圧力容器内に収容される前記逆浸透膜エレメントは、当該圧力容器内の長手方向に沿って複数配置されるとともに、
前記合流用導入ポートの位置で、当該圧力容器内の長手方向に２組に分割され、２組に分割された前記逆浸透膜エレメントは、組ごとに前記透過水取出配管が配設されていることを特徴とする逆浸透処理装置。
【請求項３】
請求項２に記載の逆浸透処理装置において、
２組に分割された前記逆浸透膜エレメントのうち、数の少ないほうの組に属する当該逆浸透膜エレメントの数は、他方の前記圧力容器内に収容される前記逆浸透膜エレメントの数と等しくなるように設定されていることを特徴とする逆浸透処理装置。
【請求項４】
請求項２に記載の逆浸透処理装置において、
一方の前記圧力容器内で２組に分割された組同士の間に導入した第１洗浄液を前記導入ポートに向けて通流させ、前記組同士の間に導入した第２洗浄液を前記導出ポートに向けて通流させる洗浄機構を備えることを特徴とする逆浸透処理装置。
【請求項５】
請求項４に記載の逆浸透処理装置において、
前記洗浄機構は、一方の前記圧力容器における前記被処理水の入口における圧力と、他方の前記圧力容器の前記濃縮水の出口における圧力との差が所定値を超えた際に、前記組同士の間に導入した前記第１洗浄液を前記導入ポートに向けて通流させ、他方の前記圧力容器の前記濃縮水の出口における圧力と、一方の前記圧力容器における前記濃縮水の出口の圧力との差が所定値を超えた際に、前記組同士の間に導入した前記第２洗浄液を前記導出ポートに向けて通流させるよう構成されていることを特徴とする逆浸透処理装置。
【請求項６】
請求項１に記載の逆浸透処理装置において、
一方の前記圧力容器の前記導入ポートは、前記分流用導出ポートと他方の前記圧力容器の前記導入ポートとの接続部に形成されていることを特徴とする逆浸透処理装置。
【請求項７】
請求項２に記載の逆浸透処理装置において、
２組に分割された前記逆浸透膜エレメントのうち、数の少ないほうの組に属する当該逆浸透膜エレメントから得られる前記透過水を一方の前記圧力容器外に取り出す前記透過水取出配管と、他方の前記圧力容器内に収容される前記逆浸透膜エレメントから得られる前記透過水を他方の前記圧力容器外に取り出す前記透過水取出配管と、が合流する合流配管をさらに備え、
前記合流配管には、当該合流配管を通流する前記透過水の流量を調整する流量調整機構が配置されていることを特徴とする逆浸透処理装置。
【発明の詳細な説明】
【技術分野】
【０００１】
本発明は、逆浸透処理装置に関する。
【背景技術】
【０００２】
近年、逆浸透膜を用いてろ過処理を行う逆浸透処理装置の利用が増加する傾向にある。この逆浸透処理装置は、例えばセルロース、ポリアミド等の高分子材料で形成される逆浸透膜で隔てられた被処理水にその浸透圧以上の圧力が加えられる。これにより被処理水に含まれる分離対象物が逆浸透膜にて阻止され、被処理水に含まれる水が優先的に逆浸透膜を透過する。
従来、逆浸透膜を有する逆浸透膜エレメントを圧力容器に収容する逆浸透膜モジュールを複数備える逆浸透処理装置が知られている（例えば、特許文献１、特許文献２参照）。
これらの逆浸透処理装置では、逆浸透膜モジュールが被処理水の流れの上流側から下流側に向かって複数の逆浸透膜モジュールが配置され、上流側の逆浸透膜モジュールの逆浸透膜の濃縮水が下流側の逆浸透膜モジュールに被処理水として供給されるようになっている。
このような逆浸透処理装置によれば、被処理水が複数段の逆浸透膜モジュールの逆浸透膜を透過するので、分離対象物の阻止率を向上させることができる。
【先行技術文献】
【特許文献】
【０００３】
【特許文献１】特開２０１１−２００３２号公報
【特許文献２】特開２００１−１３７６７３号公報
【発明の概要】
【発明が解決しようとする課題】
【０００４】
ところで、従来の逆浸透処理装置（例えば、特許文献１、特許文献２等参照）では、複数の逆浸透膜モジュール同士が配管で接続されている。
しかしながら、阻止率を向上させるために前記のように逆浸透膜モジュールの段数を増加させると、配管の引き回しが複雑になるとともにこれらの配管によって逆浸透処理装置が大型化する問題があった。
また、従来の逆浸透処理装置では、複数の逆浸透膜モジュール同士を接続する配管における圧力損失や、並列に配置された逆浸透膜モジュールでの分流配管部、合流配管部等における流路抵抗が生じることとなる。これにより従来の逆浸透処理装置では、被処理水を逆浸透膜モジュールに送出するポンプが大型化することによっても逆浸透処理装置が大型化する問題があった。
【０００５】
そこで、本発明の課題は、複数の逆浸透モジュールを有する逆浸透処理装置であって、従来と比較して小型化を達成することができる逆浸透処理装置を提供することにある。
【課題を解決するための手段】
【０００６】
前記課題を解決した本発明の逆浸透処理装置は、圧力容器と、前記圧力容器内に収容される、逆浸透膜を含んで構成される逆浸透膜エレメントと、を有する逆浸透膜モジュールを複数備え、複数の前記逆浸透膜モジュールのうち、互いに隣接する前記逆浸透膜モジュールの前記圧力容器同士が当該圧力容器に設けられた被処理水の導出入ポートを介して直に連結され、前記逆浸透膜エレメントには、前記圧力容器内に導入された前記被処理水を前記逆浸透膜がろ過して得られる透過水を前記圧力容器外に取り出す透過水取出配管が配設され、前記圧力容器は、当該圧力容器内に前記被処理水を導き入れる導入ポートと、前記被処理水を前記逆浸透膜がろ過して得られる濃縮水を前記圧力容器外に送り出す導出ポートとを有し、互いに隣接する前記逆浸透膜モジュールの前記圧力容器同士のうち、一方の前記圧力容器は、他方の前記圧力容器の前記導入ポートと対応してこれに接続される分流用導出ポートと、他方の前記圧力容器の前記導出ポートと対応してこれに接続される合流用導入ポートと、をさらに有し、前記圧力容器は、一方向に長く形成され、互いに隣接する前記逆浸透膜モジュールの前記圧力容器同士のうち、一方の前記圧力容器の長さは、他方の前記圧力容器の長さよりも長くなるように設定され、前記導出ポート及び前記導入ポートは、それぞれ前記圧力容器の長手方向の両端部に形成され、前記合流用導入ポートは、他方の前記圧力容器の前記導出ポートの位置に対応させて前記圧力容器の長手方向の中間位置に形成されていることを特徴とする。
この逆浸透処理装置では、従来の逆浸透処理装置とは異なって、配管を使用せずに複数の逆浸透膜モジュールが接続される。
【発明の効果】
【０００７】
本発明によれば、複数の逆浸透モジュールを有する逆浸透処理装置であって、従来と比較して小型化を達成することができる逆浸透処理装置を提供することができる。
【図面の簡単な説明】
【０００８】
【図１】本発明の実施形態に係る逆浸透処理装置が設置されたろ過処理システムのブロック図である。
【図２】本発明の実施形態に係る逆浸透処理装置の概略構成を示す断面図である。
【図３】本発明の実施形態に係る逆浸透処理装置を構成する逆浸透膜エレメントの斜視図である。
【図４】本発明の実施形態に係る逆浸透処理装置の第１変形例の概略構成を示す断面図である。
【図５】本発明の実施形態に係る逆浸透処理装置の第２変形例の概略構成を示す断面図である。
【図６】本発明の実施形態に係る逆浸透処理装置の第２変形例における圧力センサの位置の一例を示す概念図である。
【図７】図５の第２変形例に係る逆浸透処理装置における洗浄機構の洗浄手順を説明するフローチャートである。
【図８】本発明の実施形態に係る逆浸透処理装置の第３変形例の概略構成を示す断面図である。
【図９】図８の第３変形例に係る逆浸透処理装置において、被処理水が導入される導入ポートの位置を変更したものの概略構成を示す断面図である。
【図１０】本発明の実施形態に係る逆浸透処理装置の第４変形例の概略構成を示す断面図である。
【図１１】本発明の実施形態に係る逆浸透処理装置の第５変形例の概略構成を示す断面図である。
【図１２】本発明の実施形態に係る逆浸透処理装置の第６変形例の概略構成を示す一部断面図を模式図である。
【図１３】図１２の第６変形例における流量調整機構の第１応用例を示す模式図である。
【図１４】図１２の第６変形例における流量調整機構の第２応用例を示す模式図である。
【図１５】図１２の第６変形例における流量調整機構の第３応用例を示す模式図である。
【発明を実施するための形態】
【０００９】
本発明の実施形態について適宜図面を参照しながら詳細に説明する。
本発明の逆浸透処理装置は、複数の逆浸透膜モジュールを備え、互いに隣接する逆浸透膜モジュールの圧力容器同士がそれらの導出入ポートを介して直に連結されていることを主な特徴とする。
以下では、まず逆浸透処理装置を使用したろ過処理システムについて説明した後に、逆浸透処理装置について詳細に説明する。
【００１０】
＜ろ過処理システム＞
図１は、本実施形態に係る逆浸透処理装置Ａ１が設置されたろ過処理システムＳのブロック図である。
図１に示すように、ろ過処理システムＳは、被処理水が貯留されるタンクＴと、高圧ポンプＰと、後に詳しく説明する本実施形態に係る逆浸透処理装置Ａ１とを備えて構成される。
【００１１】
タンクＴの被処理水は、高圧ポンプＰによって逆浸透処理装置Ａ１に高圧で供給され、逆浸透処理装置Ａ１の後記する逆浸透膜３３（図３参照）によってろ過（逆浸透処理）される。これにより、被処理水は、逆浸透膜３３の透過水Ｗ１と、分離対象物が濃縮された濃縮水Ｗ２とに分離される。
【００１２】
このようにして得られた透過水Ｗ１は、排出管を介して逆浸透処理装置Ａ１の外部に排出される。また、濃縮水Ｗ２は、透過水Ｗ１（以下、この透過水の符号は省略する）を排出する排出管とは異なる排出管を介して逆浸透処理装置Ａ１の外部に排出される。
なお、本実施形態でのろ過処理システムＳは、高圧ポンプＰによって被処理水を逆浸透処理装置Ａ１に高圧で供給するとともに、逆浸透処理装置Ａ１の濃縮水Ｗ２（以下、この濃縮水の符号は省略する）の出口側に設けた図示しないバルブの開度を調節することにより逆浸透処理装置Ａ１内の圧力を設定している。
【００１３】
タンクＴ内の被処理水としては、原水をそのまま使用することができる。
また、被処理水は、高圧ポンプＰの上流側に配置した前処理装置（図示省略）にて前処理を施したものを用いることもできる。
ちなみに、前処理装置としては、例えば、濁質成分等を除去する凝集装置、限外ろ過装置、ｐＨ調節装置、温度調節装置等が挙げられる。
【００１４】
このようなろ過処理システムＳは、例えば、排水再利用、純水製造、鹹水淡水化等に使用することができる。なお、ここでの「鹹水」とは塩化ナトリウム等の塩分を含んだ水をいい、この「鹹水」としては、例えば、海水、汽水、過去に海水が閉じ込められてできた化石水、岩塩地帯の塩分を含んだ水、油田随伴水等が挙げられる。
【００１５】
＜逆浸透処理装置＞
次に、本実施形態に係る逆浸透処理装置Ａ１について説明する。
図２は、本実施形態に係る逆浸透処理装置Ａ１の概略構成を示す断面図である。
なお、図２中、上下方向を示す矢印は、この逆浸透処理装置Ａ１が設置された際の鉛直方向の上下を表している。
【００１６】
図２に示すように、逆浸透処理装置Ａ１は、第１逆浸透膜モジュール１０と、第２逆浸透膜モジュール２０とを備えている。
【００１７】
第１逆浸透膜モジュール１０は、第１圧力容器１１と、この第１圧力容器１１内に配置される逆浸透膜エレメント３０と、この逆浸透膜エレメント３０を構成する後記の逆浸透膜３３（図３参照）の透過水を第１圧力容器１１外に取り出す一対の透過水取出配管１６，１７とを有している。
【００１８】
第１圧力容器１１は、軸方向に長い略円筒形状を呈している。本実施形態での第１圧力容器１１は、その長手方向が水平方向に沿うように配置されることを想定している。
第１圧力容器１１の長手方向の両端は封止され、両端面のそれぞれからは前記の透過水取出配管１６，１７が突出している。
【００１９】
第１圧力容器１１の長手方向における一端（図２の紙面左側）寄りには、被処理水の導入ポート１２が形成されている。本実施形態での導入ポート１２は、第１圧力容器１１の周面下部に形成されている。
なお、以下の各図に示される圧力容器においては、図の紙面左側を一端側として規定する。
【００２０】
また、第１圧力容器１１の長手方向における他端（図２の紙面右側）寄りには、被処理水のろ過処理によって得られる濃縮水を第１圧力容器１１外に導出する導出ポート１３が形成されている。本実施形態での導出ポート１３は、第１圧力容器１１の周面下部に形成されている。
なお、以下の各図に示される圧力容器においては、図の紙面右側を他端側として規定する。
【００２１】
また、第１圧力容器１１の長手方向における一端（図２の紙面左側）寄りの周面上部には、第２逆浸透膜モジュール２０の第２圧力容器２１における、後記する導入ポート２２に対応する位置に、被処理水の分流用導出ポート１４が形成されている。
【００２２】
また、第１圧力容器１１の長手方向における中間位置の周面上部には、第２逆浸透膜モジュール２０の第２圧力容器２１における、後記する導出ポート２３に対応する位置に、被処理水の合流用導入ポート１５が形成されている。
【００２３】
このような第１圧力容器１１内には、その長手方向に一列に並ぶように複数の逆浸透膜エレメント３０が所定の間隔を空けて配置されている。本実施形態での第１圧力容器１１内には、７つの逆浸透膜エレメント３０が配置されている。
【００２４】
第１圧力容器１１内の複数の逆浸透膜エレメント３０は、第１圧力容器１１の合流用導入ポート１５の位置を境に、第１圧力容器１１の長手方向に２組に分割されている。
ちなみに、本実施形態での２組は、導入ポート１２側に分けられる２つの逆浸透膜エレメント３０からなる組Ｇ１と、導出ポート１３側に分けられる５つの逆浸透膜エレメント３０からなる組Ｇ２とで形成されている。
【００２５】
そして、２組Ｇ１，Ｇ２に分割された逆浸透膜エレメント３０には、それらの組Ｇ１，Ｇ２ごとに前記の透過水取出配管１６，１７のそれぞれが配設されている。
つまり、本実施形態での７つの逆浸透膜エレメント３０を例に説明すると、導入ポート１２側に組分けされた２つの逆浸透膜エレメント３０（組Ｇ１）には、透過水取出配管１６が取り付けられる。そして、組Ｇ１の逆浸透膜エレメント３０を構成する逆浸透膜３３（図３参照）の透過水は透過水取出配管１６に集められ、第１圧力容器１１外に取り出される。
また、導出ポート１３側に組分けされた５つの逆浸透膜エレメント３０（組Ｇ２）には、透過水取出配管１７が取り付けられる。そして、組Ｇ２の逆浸透膜エレメント３０を構成する逆浸透膜３３（図３参照）の透過水は透過水取出配管１７に集められ、第１圧力容器１１外に取り出される。
なお、図２中、符号４２は、第１圧力容器１１の他端側（図２の右側）において、第１圧力容器１１の内外を連通させるように設けられたエア抜き配管である。このエア抜き配管４２は、第１圧力容器１１の周面上部に設けられているので、第１圧力容器１１内のエアは効率よく第１圧力容器１１外に排出される。
このようなエア抜き配管４２には、開閉バルブ２６が設けられており、この開閉バルブ２６を開くことにより、第１圧力容器１１内のエアがエア抜き配管４２を通じて排出される。
【００２６】
ちなみに、導入ポート１２の形成位置としては、前記のように周面下部とするか、又は図示しないが第１圧力容器１１の長手方向（延在方向）に向かって左右両側のいずれかとすることが望ましいが、本発明での導入ポート１２の形成位置を周面上部とすることを排除するものではない。
【００２７】
また、導出ポート１３の形成位置としては、前記のように周面下部とする以外に、図示しないが周面上部又は第１圧力容器１１の長手方向（延在方向）に向かって左右両側のいずれかとすることもできる。ちなみに、導出ポート１３を周面下部又は左右両側のいずれかとする場合には、第１圧力容器１１の上部にエア抜き部を設けることが望ましい。
第１圧力容器１１内の逆浸透膜エレメント３０の構成については、後に詳しく説明する。
【００２８】
次に、第２逆浸透膜モジュール２０について説明する。
第２逆浸透膜モジュール２０は、第２圧力容器２１と、この第２圧力容器２１内に配置される逆浸透膜エレメント３０と、この逆浸透膜エレメント３０を構成する逆浸透膜３３（図３参照）の透過水を第２圧力容器２１外に取り出す透過水取出配管２４とを有している。
【００２９】
第２圧力容器２１は、軸方向に長い略円筒形状を呈している。ちなみに、本実施形態での第２圧力容器２１は、第１逆浸透膜モジュール１０の第１圧力容器１１と同径に設定され、第１逆浸透膜モジュール１０の第１圧力容器１１上で、この第１圧力容器１１と隣接するように並列に配置されている。
つまり、本実施形態での第１圧力容器１１は、特許請求の範囲にいう「一方の圧力容器」に相当し、本実施形態での第２圧力容器２１は、特許請求の範囲にいう「他方の圧力容器」に相当する。また、第１圧力容器１１の長さは、第２圧力容器２１の長さよりも長くなるように設定されている。
そして、本実施形態では、第１圧力容器１１の一端側（図２の紙面左側）と、第２圧力容器２１の一端側（図２の紙面左側）とが略一致するように位置合わせされている。
【００３０】
第２圧力容器２１の長手方向における一端（図２の紙面左側）寄りの周面下部には、前記の導入ポート２２が形成されている。
また、第２圧力容器２１の長手方向における他端（図２の紙面右側）寄りの周面下部には、前記の導出ポート２３が形成されている。
【００３１】
そして、第１圧力容器１１の分流用導出ポート１４と第２圧力容器２１の導入ポート２２とが接続され、第１圧力容器１１の合流用導入ポート１５と第２圧力容器２１の導出ポート２３とが接続される。
つまり、第１圧力容器１１と第２圧力容器２１とは、分流用導出ポート１４及び導入ポート２２、並びに合流用導入ポート１５及び導出ポート２３を介して直に連結されている。
【００３２】
これらの分流用導出ポート１４及び導入ポート２２、並びに合流用導入ポート１５及び導出ポート２３は、特許請求の範囲にいう「被処理水の導出入ポート」に相当する。ちなみに、本実施形態での第２圧力容器２１の導出ポート２３は、後記するように、第２圧力容器２１から排出される濃縮水を第１圧力容器１１に被処理水として供給するため「被処理水の導出ポート」としての意義がある。
【００３３】
このような第２圧力容器２１内には、１つ以上の逆浸透膜エレメント３０が配置される。そして、本実施形態においては、第２圧力容器２１内に配置される逆浸透膜エレメント３０の数が、第１圧力容器１１内で２組に分割された逆浸透膜エレメント３０のうち、数の少ない方の組Ｇ１に属する当該逆浸透膜エレメント３０の数と等しくなるように設定される。
つまり、本実施形態での第２圧力容器２１内に配置される逆浸透膜エレメント３０の数は、第１圧力容器１１内で２つの逆浸透膜エレメント３０からなる組Ｇ１に合せて、２つに設定されている。
【００３４】
ちなみに、第１圧力容器１１及び第２圧力容器２１に収容される逆浸透膜エレメント３０の数、並びに第２圧力容器２１内で組分けされる各組Ｇ１，Ｇ２の逆浸透膜エレメント３０の数は、前記のものに限定されるものではなく、被処理水の種類、被処理水中の分離対象物の種類、分離対象物の阻止率等により適宜に設定することができる。なお、本実施形態に係る逆浸透処理装置Ａ１を鹹水淡水化システムに使用する場合には、組Ｇ１に属する逆浸透膜エレメント３０の数は、１〜４つが望ましく、さらに望ましくは２〜３つである。また、第２圧力容器２１に収容される逆浸透膜エレメント３０の数も、これに合せて１〜４つが望ましく、２〜３つがさらに望ましい。
そして、組Ｇ２に属する逆浸透膜エレメント３０の数は、４〜７つが望ましく、さらに望ましくは５〜６つである。
また、第１圧力容器１１内の逆浸透膜エレメント３０の合計数は、８つ以下とすることが望ましい。
【００３５】
第２圧力容器２１内に配置される逆浸透膜エレメント３０には、前記したように、透過水取出配管２４が取り付けられる。そして、これらの逆浸透膜エレメント３０を構成する逆浸透膜３３（図３参照）の透過水は透過水取出配管２４に集められ、第２圧力容器２１外に取り出される。
ちなみに、第１圧力容器１１の一端側（図２の紙面左側）に配置される透過水取出配管１６と、第２圧力容器２１の一端側（図２の紙面左側）に配置される透過水取出配管２４とは、第１圧力容器１１及び第２圧力容器２１のそれぞれから同方向（図３の紙面左方向）に延出している。そして、図示しないが、透過水取出配管１６と透過水取出配管２４とは、合流するようになっている。
【００３６】
なお、図２中、符号４３は、第２圧力容器２１の他端側（図２の右側）において、第２圧力容器２１の内外を連通させるように設けられたエア抜き配管である。このエア抜き配管４３は、第２圧力容器２１の上部周面に設けられているので、第２圧力容器２１内のエアは効率よく第２圧力容器２１外に排出される。
このエア抜き配管４３には、開閉バルブ２５が設けられており、この開閉バルブ２５を開くことにより、第２圧力容器２１内のエアはエア抜き配管４３を通じて排出される。
【００３７】
次に、逆浸透膜エレメント３０について説明する。
図３は、本実施形態に係る逆浸透処理装置Ａ１を構成する逆浸透膜エレメント３０の斜視図である。図３中、逆浸透膜エレメント３０には、その一部を切り開いて展開した部分を含んでいる。
【００３８】
図３に示すように、逆浸透膜エレメント３０は、集水管３１の周囲に、第１メッシュスペーサ３２を内包した袋状の逆浸透膜３３を、第２メッシュスペーサ３４を介してスパイラル状に巻回した略円柱状の構造を有している。
集水管３１には、集水管３１の肉部を内外に連通する孔３１ａが集水管３１の長手方向に沿って並ぶように複数形成されている。
【００３９】
この逆浸透膜エレメント３０は、略円柱状の外周面が第１圧力容器１１（図２参照）や第２圧力容器２１（図２参照）の内周面と接するようにこれら第１圧力容器１１及び第２圧力容器２１の内側に収容される。ちなみに、本実施形態での逆浸透膜エレメント３０は、前記のように、第１圧力容器１１及び第２圧力容器２１の内側で複数直列に連結されるが、この連結には、図２に示すように、集水管３１の端部同士を繋ぐジョイント３５を使用することができる。
【００４０】
また、本実施形態での逆浸透膜エレメント３０には、前記のように透過水取出配管１６，１７，２４（図２参照）が配設されるが、この透過水取出配管１６，１７，２４は、図２に示すように、集水管３１と一体に成形することができるし、図示しないがジョイントを介して接続することもできる。
【００４１】
このような逆浸透膜エレメント３０においては、第１圧力容器１１及び第２圧力容器２１（図２参照）内に被処理水が導入されると、この被処理水は、上流側に位置する逆浸透膜エレメント３０の略円筒形状の一端面から逆浸透膜エレメント３０内に侵入する。そして、巻回された逆浸透膜３３（図３参照）の膜面に対して集水管３１（図３参照）側に交差するように流れる被処理水は、透過水となって孔３１ａ（図３参照）を介して集水管３１内に流れ込む。
そして、透過水が除かれる被処理水の残部、つまり濃縮水は、下流側に位置する逆浸透膜エレメント３０の略円筒形状の他端面から逆浸透膜エレメント３０外に排出される。
【００４２】
次に、本実施形態に係る逆浸透処理装置Ａ１の動作について主に図２を参照しながら説明する。
本実施形態に係る逆浸透処理装置Ａ１においては、高圧ポンプＰ（図１参照）が駆動すると、被処理水が第１逆浸透膜モジュール１０の第１圧力容器１１に設けられた導入ポート１２を介して第１圧力容器１１内の一端側（図２の紙面左側）に導入される。
また、第１圧力容器１１内に導入された被処理水は、第１圧力容器１１の分流用導出ポート１４にて分流されて、第２圧力容器２１の導入ポート２２を介して第２圧力容器２１内の一端側（図２の紙面左側）に導入される。
【００４３】
第１圧力容器１１内の一端側（図２の紙面左側）に導入された被処理水は、第１圧力容器１１内の一端側（図２の紙面左側）で組Ｇ１に属する２つの逆浸透膜エレメント３０を通流する。これにより被処理水は、２つの逆浸透膜エレメント３０の逆浸透膜３３（図３参照）にてろ過処理されて、透過水は、透過水取出配管１６を介して第１圧力容器１１外に取り出される。そして、濃縮水は、逆浸透膜エレメント３０の組Ｇ１と組Ｇ２との間に向かって流れる。
【００４４】
第２圧力容器２１内の一端側（図２の紙面左側）に導入された被処理水は、第２圧力容器２１内の２つの逆浸透膜エレメント３０を通流する。これにより被処理水は、２つの逆浸透膜エレメント３０の逆浸透膜３３（図３参照）にてろ過処理されて、透過水は、透過水取出配管２４を介して第２圧力容器２１外に取り出される。そして、濃縮水は、第２圧力容器２１の他端側（図２の右側）に向かって流れて、導出ポート２３及び第１圧力容器１１の合流用導入ポート１５を介して第１圧力容器１１内の前記した濃縮水と合流する。
【００４５】
第１圧力容器１１内の逆浸透膜エレメント３０の組Ｇ１，Ｇ２同士の間で合流した濃縮水は、被処理水として組Ｇ２に属する５つの逆浸透膜エレメント３０を通流する。これにより被処理水としての濃縮水は、５つの逆浸透膜エレメント３０のそれぞれの逆浸透膜３３（図３参照）にて再びろ過処理される。
【００４６】
このろ過処理で得られた透過水は、透過水取出配管１７を介して第１圧力容器１１外に取り出される。また、このろ過処理で得られた濃縮水は、第１圧力容器１１の他端側（図２の右側）に向かって流れ、導出ポート１３から第１圧力容器１１外に排出される。つまりろ過処理システムＳ（図１参照）の系外に排出される。ちなみに、第１圧力容器１１の導入ポート１２に供給された被処理水が、第２圧力容器２１にも分流するのは、第１圧力容器１１の導出ポート１３での圧力よりも、導入ポート１２での圧力が高圧になっているとともに、第２圧力容器２１が、第１圧力容器１１の上流側の前段部分と並列に接続され、かつ第１圧力容器１１の下流側の後段部分と直列に接続されていることによる。
【００４７】
そして、透過水取出配管１６，１７，２４を流れる透過水は、これら透過水取出配管１６，１７，２４が接続される図示しない合流配管に集められてろ過処理システムＳ（図１参照）の系外に取り出される。
【００４８】
次に、本実施形態に係る逆浸透処理装置Ａ１の奏する作用効果について説明する。
以上のような逆浸透処理装置Ａ１では、互いに隣接して配置される第１逆浸透膜モジュール１０と第２逆浸透膜モジュール２０とにおける第１圧力容器１１及び第２圧力容器２１同士が、これらの被処理水の導出入ポートとしての、分流用導出ポート１４及び導入ポート２２、並びに合流用導入ポート１５及び導出ポート２３を介して直に連結されている。
【００４９】
よって、この逆浸透処理装置Ａ１は、従来の逆浸透処理装置（例えば、特許文献１、特許文献２等参照）とは異なって、配管を使用せずに複数の逆浸透膜モジュール１０，２０が接続される。つまり、この逆浸透処理装置Ａ１によれば、配管を使用せずに複数の逆浸透膜モジュール１０，２０が接続されるので、従来と比較して小型化を達成することができる。
【００５０】
また、従来の逆浸透処理装置では、前記のように、複数の逆浸透膜モジュール同士を接続する配管における圧力損失や、並列に配置された逆浸透膜モジュールでの分流配管部、合流配管部等における流路抵抗が生じることとなる。これにより従来の逆浸透処理装置では、被処理水を逆浸透膜モジュールに送出するポンプが大型化する。
【００５１】
これに対して、本実施形態に係る逆浸透処理装置Ａ１によれば、配管を使用せずに複数の逆浸透膜モジュール１０，２０が接続されるので、配管における圧力損失や、分流配管部、合流配管部等における流路抵抗が生じることを回避できる。
よって、この逆浸透処理装置Ａ１によれば、ポンプの小型化を図ることができる。
【００５２】
また、本実施形態に係る逆浸透処理装置Ａ１では、第１圧力容器１１（一方の圧力容器）は、第２圧力容器２１（他方の圧力容器）の導入ポート２２と対応してこれに接続される分流用導出ポート１４を有するとともに、第２圧力容器２１（他方の圧力容器）の導出ポート２３と対応してこれに接続される合流用導入ポート１５を有している。
つまり、逆浸透処理装置Ａ１によれば、第２圧力容器２１が、第１圧力容器１１の上流側の前段部分と並列に接続され、かつ第１圧力容器１１の下流側の後段部分と直列に接続されることとなる。
【００５３】
これにより逆浸透処理装置Ａ１は、互いに並列に接続された第１圧力容器１１及び第２圧力容器２１の両方に被処理水を通流させることができる。
また、この逆浸透処理装置Ａ１では、前記の第２圧力容器２１の並列配置により、逆浸透膜の膜面積を増大させることができ、被処理水の処理能力が一段と向上する。
【００５４】
また、逆浸透処理装置Ａ１では、第１圧力容器１１（一方の圧力容器）の長さが、第２圧力容器２１（他方の圧力容器）の長さよりも長くなるように設定されている。したがって、第２圧力容器２１から導出ポート２３を介して排出される濃縮水は、第１圧力容器１１の合流用導入ポート１５によって第１圧力容器１１内に合流する。
つまり、この濃縮水は、第１圧力容器１１の一端側（図２の紙面左側）で組分けされた２つの逆浸透膜エレメント３０から排出された濃縮水と合流する。そして、合流した濃縮水は、第１圧力容器１１内の後段における５つの逆浸透膜エレメント３０にてろ過処理（二次処理）されることとなる。
よって、この逆浸透処理装置Ａ１によれば、被処理水中の分離対象物の阻止率を向上させることができる。
【００５５】
また、この逆浸透処理装置Ａ１では、第１圧力容器１１内の複数の逆浸透膜エレメント３０は２組に分割され、その組Ｇ１，Ｇ２ごとに透過水取出配管１６及び透過水取出配管１７がそれぞれ配設されている。
よって、この逆浸透処理装置Ａ１によれば、透過水の取出効率が向上する。
【００５６】
また、この逆浸透処理装置Ａ１では、第１圧力容器１１内で、２組に分割された前記逆浸透膜エレメント３０のうち、数の少ないほうの組Ｇ１に属する当該逆浸透膜エレメント３０の数（本実施形態では２つ）は、第２圧力容器２１内に収容される逆浸透膜エレメント３０の数（本実施形態では２つ）と等しくなるように設定されている。
【００５７】
この逆浸透処理装置Ａ１によれば、第１圧力容器１１内で合流し合う前記の濃縮水における分離対象物の濃度は、略等しくなる。
つまり、逆浸透処理装置Ａ１によれば、第１圧力容器１１の後段（本実施形態における５つの逆浸透膜エレメント３０）でのろ過処理で得られる透過水及び濃縮水の品位のばらつきを低減することができる。
【００５８】
（第１変形例）
次に、前記実施形態に係る逆浸透処理装置Ａ１の第１変形例について説明する。この変形例において、前記実施形態と同一の構成要素には同一の符号を付してその詳細な説明は省略する。
図４は、逆浸透処理装置Ａ１（図２参照）の第１変形例の概略構成を示す断面図である。
【００５９】
図４に示すように、第１変形例に係る逆浸透処理装置Ａ２は、前記実施形態に係る逆浸透処理装置Ａ１（図２参照）における導出ポート１３（図２参照）の位置を、第１圧力容器１１の周面下部から周面上部に変更し、この導出ポート１３に接続される濃縮水の取出配管４１にエア抜き配管４２を設けた以外は、逆浸透処理装置Ａ１と同様に構成されている。
【００６０】
なお、図４中、符号１２は、第１圧力容器１１の導入ポートであり、符号１４は、第１圧力容器１１の分流用導出ポートであり、符号１５は、第１圧力容器１１の合流用導入ポートであり、符号１６，１７は、それぞれ第１逆浸透膜モジュール１０の透過水取出配管であり、符号２２は、第２圧力容器２１の導入ポートであり、符号２３は、第２圧力容器２１の導出ポートであり、符号２４は、第２逆浸透膜モジュール２０の透過水取出配管であり、符号３０は、逆浸透膜エレメントである。
【００６１】
このような逆浸透処理装置Ａ２によれば、前記した逆浸透処理装置Ａ１と同様の作用効果を奏するとともに、取出配管４１からエア抜き配管４２を分岐させることができるので、前記の逆浸透処理装置Ａ１と異なって、エア抜き配管４２を設けるために、第１圧力容器１１に穿設孔を形成する必要がない。
【００６２】
（第２変形例）
次に、前記実施形態に係る逆浸透処理装置Ａ１の第２変形例について説明する。この変形例において、前記実施形態と同一の構成要素には同一の符号を付してその詳細な説明は省略する。
図５は、逆浸透処理装置Ａ１（図２参照）の第２変形例の概略構成を示す断面図である。
【００６３】
図５に示すように、第２変形例に係る逆浸透処理装置Ａ３は、第１変形例に係る逆浸透処理装置Ａ２（図４参照）と同様に、第１圧力容器１１の導出ポート１３が、第１圧力容器１１の周面上部に位置変えされている。
また、第１圧力容器１１には、２組に組分けされた逆浸透膜エレメント３０の組Ｇ１，Ｇ２同士の間に連通するように、第１圧力容器１１の下部周面には、洗浄液導入ポート１９が形成されている。
【００６４】
また、逆浸透処理装置Ａ３は、洗浄機構５０を備えている。
この洗浄機構５０は、第１圧力容器１１（一方の圧力容器）内で２組に分割された組Ｇ１，Ｇ２同士の間に導入した後記する第１洗浄液を、導入ポート１２に向けて通流させ、組Ｇ１，Ｇ２同士の間に導入した後記する第２洗浄液を導出ポート１３に向けて通流させるように構成されている。
【００６５】
洗浄機構５０は、第１洗浄液を貯留する第１貯留槽５１と、第２洗浄液を貯留する第２貯留槽５２と、これらの第１洗浄液及び第２洗浄液を第１圧力容器１１及び第２圧力容器２１に送り込む洗浄ポンプ５３と、を備えている。
【００６６】
また、洗浄機構５０は、第１圧力容器１１の導入ポート１２に被処理水を供給する供給配管４０から分岐してその先端が第１貯留槽５１内に延びる第１配管４４と、第１配管４４とは別に第１貯留槽５１内から第１貯留槽５１外に延出する第２配管と、第１圧力容器１１の導出ポート１３から濃縮水を排出する取出配管４１から分岐してその先端が第２貯留槽５２内に延びる第３配管と、この第３配管４６とは別に第２貯留槽５２内から第２貯留槽５２外に延出する第４配管と、第２配管４５と第４配管４７とが合流して洗浄液導入ポート１９に向けて延びる合流配管４８と、を備えている。
【００６７】
供給配管４０には、第１配管４４の分岐部よりも上流側に第１バルブＶ１が配置され、第１配管４４には、第２バルブＶ２が配置され、第２配管４５には、第３バルブＶ３が配置されている。また、第４配管４７には第４バルブＶ４が配置され、取出配管４１には、第３配管４６の分岐部よりも下流側に第５バルブＶ５が配置され、第３配管４６には、第６バルブＶ６が配置されている。そして、合流配管４８には、前記した洗浄ポンプ５３と、この洗浄ポンプ５３の下流側に第７バルブＶ７が配置されている。
【００６８】
次に、この第２変形例に係る逆浸透処理装置Ａ３の動作について説明する。
この逆浸透処理装置Ａ３を使用して被処理水のろ過処理（逆浸透処理）を継続的に行うと、逆浸透膜エレメント３０には付着物が徐々に形成されていく。
【００６９】
図５に示すように、上流側の逆浸透膜エレメント３０には、細菌類等による生物学的な付着物２７が形成され、下流側の逆浸透膜エレメント３０には、被処理水の硬度由来の付着物２８が形成される。
ちなみに、付着物２７は、第１圧力容器１１及び第２圧力容器２１の上流端に近い逆浸透膜エレメント３０部分に多く付着する。
また、付着物２８は、第１圧力容器１１の下流端に近い逆浸透膜エレメント３０部分に多く付着する。
【００７０】
この第２変形例に係る逆浸透処理装置Ａ３においては、洗浄機構５０が付着物２７を第１洗浄液にて洗浄除去し、付着物２８を第２洗浄液にて洗浄除去するように構成されている。
【００７１】
ちなみに、第１洗浄液としては、例えば、次亜塩素酸、次亜臭素酸及びそのアルカリ金属塩、クロラミン、過酸化水素水、過炭酸水、過酢酸水等が挙げられる。第２洗浄液としては、例えば、塩酸、硝酸、シュウ酸、クエン酸等の酸類、水酸化カリウム、水酸化ナトリウム等のアルカリ類、ドデシル硫酸ナトリウム、ドデシルベンゼン硫酸ナトリウム等の界面活性剤等が挙げられる。なお、付着物２７，２８の洗浄に使用する第１及び第２洗浄液はこれらに限定されるものではなく、公知のものをも使用することもできる。
【００７２】
この第２変形例に係る逆浸透処理装置Ａ３においては、次の表１に示す第１バルブＶ１から第７バルブＶ７の開閉操作により、付着物２７，付着物２８を洗浄除去する。
なお、表１中、「通常」とは、被処理水のろ過処理（逆浸透処理）を行う運転工程を表し、「前方膜洗浄」とは、組Ｇ１に属する逆浸透膜エレメント３０を洗浄する運転工程を表し、「後方膜洗浄」とは、組Ｇ２に属する逆浸透膜エレメント３０を洗浄する運転工程を表す。また、表１中、「開」とは、バルブの開放を意味し、「閉」とは、バルブの閉鎖を意味している。
【００７３】
【表１】
0006399896.tif 000002
【００７４】
表１に示すように、被処理水のろ過処理（逆浸透処理）を行う運転工程（表１の「通常」）において閉鎖状態になるバルブは、第２バルブＶ２、第３バルブＶ３、第４バルブＶ４、第６バルブＶ６、及び第７バルブＶ７である。洗浄ポンプ５３は停止している。
そして、第１バルブＶ１及び第５バルブＶ５が開放されることによって、被処理水は、供給配管４０（図５参照）を通流し、導入ポート１２（図５参照）を介して第１逆浸透膜モジュール１０（図５参照）及び第２逆浸透膜モジュール２０（図５参照）に供給される。そして、透過水は、透過水取出配管１６，１７，２４（図５参照）を介して取り出される。また、濃縮水は、導出ポート１３（図５参照）及び取出配管４１（図５参照）を介して取り出される。
【００７５】
組Ｇ１に属する逆浸透膜エレメント３０を洗浄する運転工程（表１の「前方膜洗浄」）において閉鎖状態になるバルブは、第１バルブＶ１、第４バルブＶ４、第５バルブＶ５、及び第６バルブＶ６である。
そして、第２バルブＶ２、第３バルブＶ３、及び第７バルブＶ７が開放され、洗浄ポンプ５３が駆動することによって、第１貯留槽５１の第１洗浄液は、第２配管４５、及び合流配管４８を通流する。洗浄液導入ポート１９を介して組Ｇ１，Ｇ２同士の間に導入された第１洗浄液は、組Ｇ１に属する逆浸透膜エレメント３０を洗浄した後、導入ポート１２を介して供給配管４０及び第１配管４４を通流し、第１貯留槽５１に戻る。つまり、組Ｇ１に属する逆浸透膜エレメント３０を洗浄する第１洗浄液の循環経路が形成される。
【００７６】
また、第１洗浄液は、組Ｇ１，Ｇ２同士の間から合流用導入ポート１５及び導出ポート２３を介して第２圧力容器２１内にも並列的に流れ込む。これにより第２圧力容器２１内の逆浸透膜エレメント３０に付着した付着物２７も洗浄除去される。
ちなみに、第１バルブＶ１が閉じられているので、被処理水の第１逆浸透膜モジュール１０への流入は回避される。また、第１逆浸透膜モジュール１０から戻される第１洗浄液が第１バルブＶ１を介して被処理水の上流側に流れ込むことが回避される。
【００７７】
また、第４バルブＶ４が閉じられているので、第２洗浄液が合流配管４８に流入することが回避されるとともに、第１洗浄液が第２貯留槽５２に流れ込むことが回避される。
また、第５バルブＶ５及び第６バルブＶ６が閉じられているので、第１洗浄液が、取出配管４１に流れ込むことが回避される。
【００７８】
組Ｇ２に属する逆浸透膜エレメント３０を洗浄する運転工程（表１の「後方膜洗浄」）において閉鎖状態になるバルブは、第１バルブＶ１、第２バルブＶ２、第３バルブＶ３、及び第５バルブＶ５である。
【００７９】
そして、第４バルブＶ４、第６バルブＶ６、及び第７バルブＶ７が開放され、洗浄ポンプ５３が駆動することによって、第２貯留槽５２の第２洗浄液は、第４配管４７、及び合流配管４８を通流する。洗浄液導入ポート１９を介して組Ｇ１，Ｇ２同士の間に導入された第２洗浄液は、組Ｇ２に属する逆浸透膜エレメント３０を洗浄した後、導出ポート１３を介して取出配管４１及び第３配管４６を通流し、第２貯留槽５２に戻る。つまり、組Ｇ２に属する逆浸透膜エレメント３０を洗浄する第２洗浄液の循環経路が形成される。
【００８０】
ちなみに、第１バルブＶ１及び第２バルブＶ２が閉じられているので、被処理水の第１逆浸透膜モジュール１０への流入は回避される。また、第２洗浄液が供給配管４０方向に流れることが回避される。
【００８１】
また、第３バルブＶ３が閉じられているので、第１洗浄液が合流配管４８に流入することが回避されるとともに、第２洗浄液が第１貯留槽５１に流れ込むことが回避される。
また、第５バルブＶ５が閉じられているので、第１逆浸透膜モジュール１０から戻される第２洗浄液が第５バルブＶ５を介して取出配管４１の下流側に流れ込むことが回避される。
【００８２】
このような逆浸透処理装置Ａ３は、第１洗浄液による組Ｇ１に属する逆浸透膜エレメント３０の洗浄工程の実施時期と、第２洗浄液による組Ｇ２に属する逆浸透膜エレメント３０の洗浄工程の実施時期とを決定するために、圧力センサＰ１，Ｐ２，Ｐ３（図６参照）を配置することができる。
図６は、第２変形例に係る逆浸透処理装置Ａ３における圧力センサＰ１，Ｐ２，Ｐ３の位置の一例を示す概念図である。
【００８３】
圧力センサＰ１は、第１圧力容器１１（一方の圧力容器）の導入ポート１２に接続される供給配管４０に設けられている。この圧力センサＰ１は、第１圧力容器１１の入口における圧力を検出するようになっている。
【００８４】
圧力センサＰ２は、第２圧力容器２１（他方の圧力容器）の他端側（図６の紙面右側）に配置されている。この圧力センサＰ２は、第２圧力容器２１の濃縮水の出口における圧力を検出するようになっている。
【００８５】
圧力センサＰ３は、第１圧力容器１１（一方の圧力容器）の導出ポート１３に接続される取出配管４１に設けられている。この圧力センサＰ３は、第１圧力容器１１の濃縮水の出口における圧力を検出するようになっている。
【００８６】
そして、この逆浸透処理装置Ａ３では、圧力センサＰ１で検出された圧力と、圧力センサＰ２で検出された圧力との差が、所定値を超えた際に、付着物２７の付着量が多くなったとみなして、第１洗浄液による付着物２７の洗浄除去工程、つまり組Ｇ１に属する逆浸透膜エレメント３０を洗浄する運転工程（表１の「前方膜洗浄」）を実施する。
【００８７】
また、この逆浸透処理装置Ａ３では、圧力センサＰ２で検出された圧力と、圧力センサＰ３で検出された圧力との差が、所定値を超えた際に、付着物２８の付着量が多くなったとみなして、第２洗浄液による付着物２８の洗浄除去工程、つまり組Ｇ２に属する逆浸透膜エレメント３０を洗浄する運転工程（表１の「後方膜洗浄」）を実施する。
【００８８】
このような逆浸透処理装置Ａ３では、次のような手順で第１圧力容器１１及び第２圧力容器２１を洗浄することができる。
図７は、図５の第２変形例に係る逆浸透処理装置Ａ３における洗浄機構５０の洗浄手順を説明するフローチャートである。
【００８９】
図７に示すように、逆浸透処理装置Ａ３によるろ過処理（逆浸透処理）の運転が開始されると、圧力センサＰ１で検出される圧力と、圧力センサＰ２で検出される圧力との差圧（図７中、差圧（Ｐ１−Ｐ２）で表す）が、所定値以下であるか否かが判断される（ステップＳ１０１）。そして、この差圧が所定値を超えている場合（ステップＳ１０１のＮｏ）には、ろ過処理の運転が停止され（ステップＳ１０２）、前記の組Ｇ１に属する逆浸透膜エレメント３０を洗浄する運転工程、つまり「前方膜洗浄シーケンス」が実施される（ステップＳ１０３）。
その後、再びステップＳ１０１に戻って前記の差圧（Ｐ１−Ｐ２）が所定値以下であるか否かが判断される。
【００９０】
ステップＳ１０１で差圧（Ｐ１−Ｐ２）が所定値以下であると判断される場合（ステップＳ１０１のＹｅｓ）には、次のステップＳ１０４で、圧力センサＰ２で検出される圧力と、圧力センサＰ３で検出される圧力との差圧（図７中、差圧（Ｐ２−Ｐ３）で表す）が、所定値以下であるか否かが判断される。そして、この差圧が所定値を超えている場合（ステップＳ１０４のＮｏ）には、ろ過処理の運転が停止され（ステップＳ１０５）、前記の組Ｇ２に属する逆浸透膜エレメント３０を洗浄する運転工程、つまり「後方膜洗浄シーケンス」が実施される（ステップＳ１０６）。
その後、洗浄手順は、再びステップＳ１０１に戻る。
【００９１】
ステップＳ１０４で差圧（Ｐ２−Ｐ３）が所定値以下であると判断される場合（ステップＳ１０４のＹｅｓ）には、次のステップＳ１０７で、圧力センサＰ１で検出される圧力と、圧力センサＰ３で検出される圧力との差圧（図７中、差圧（Ｐ１−Ｐ３）で表す）が、所定値以下であるか否かが判断される。そして、この差圧が所定値を超えている場合（ステップＳ１０７のＮｏ）には、付着物２７及び付着物２８の両方の付着量が多くなったとみなして、第１洗浄液による付着物２７の洗浄除去工程、及び第２洗浄液による付着物２８の洗浄除去工程、つまり図７に示す前方膜・後方膜洗浄シーケンスが実施される（ステップＳ１０９）。ちなみに、このステップＳ１０９における前方膜洗浄シーケンスと後方膜洗浄シーケンスとの順番はどちらが先に行われても構わない。
その後、洗浄手順は、再びステップＳ１０１に戻る。
そして、このような洗浄機構５０の洗浄手順は、図示しないが、差圧（Ｐ１−Ｐ２）、差圧（Ｐ２−Ｐ３）、及び差圧（Ｐ１−Ｐ３）の全てが、所定値以下となっている場合に、ろ過処理の運転を再開するとともに、ステップＳ１０１、ステップＳ１０４、及びステップＳ１０７の条件の監視を続ける。
【００９２】
以上のような第２変形例に係る逆浸透処理装置Ａ３によれば、前記実施形態に係る逆浸透処理装置Ａ１と同様の作用効果を奏するとともに、付着物２７，２８の付着によるろ過効率の低下が抑制される。
【００９３】
また、逆浸透処理装置Ａ３では、組Ｇ１，Ｇ２同士の間に供給された第１洗浄液が、第１圧力容器１１の上流端に近い逆浸透膜エレメント３０部分に多く付着する付着物２７を洗浄するように流れるので、洗浄された付着物２７で再び逆浸透膜エレメント３０が汚損されることが防止される。
【００９４】
また、逆浸透処理装置Ａ３では、組Ｇ１，Ｇ２同士の間に供給された第２洗浄液が、第２圧力容器２１の下流端に近い逆浸透膜エレメント３０部分に多く付着する付着物２８を洗浄するように流れるので、洗浄された付着物２８で再び逆浸透膜エレメント３０が汚損されることが防止される。
【００９５】
（第３変形例）
次に、前記実施形態に係る逆浸透処理装置Ａ１の第３変形例について説明する。この変形例において、前記実施形態と同一の構成要素には同一の符号を付してその詳細な説明は省略する。
図８は、逆浸透処理装置Ａ１（図２参照）の第３変形例の概略構成を示す断面図である。
【００９６】
図８に示すように、第４変形例に係る逆浸透処理装置Ａ４は、逆浸透処理装置Ａ１（図２参照）での第１逆浸透膜モジュール１０と、第２逆浸透膜モジュール２０との間に、第３逆浸透膜モジュール２０ａが介在している。
【００９７】
第３逆浸透膜モジュール２０ａは、分流用導出ポート２２ａと、合流用導入ポート２３ａとを有している以外は、第２逆浸透膜モジュール２０と同様に構成されている。つまり、第３逆浸透膜モジュール２０ａにおける第３圧力容器２１ａは、前記の分流用導出ポート２２ａと、合流用導入ポート２３ａとに加えて、導入ポート２２と、導出ポート２３とを有している。
そして、第３圧力容器２１ａの導入ポート２２は、第１逆浸透膜モジュール１０における第１圧力容器１１の分流用導出ポート１４に接続されている。
【００９８】
また、第３圧力容器２１ａの導出ポート２３は、第１逆浸透膜モジュール１０における第１圧力容器１１の合流用導入ポート１５に接続されている。
【００９９】
分流用導出ポート２２ａは、第３圧力容器２１ａの周面上部であって、第２逆浸透膜モジュール２０の第２圧力容器２１の導入ポート２２に対応する位置に形成されている。この分流用導出ポート２２ａは、第２圧力容器２１の導入ポート２２に接続されている。
【０１００】
合流用導入ポート２３ａは、第３圧力容器２１ａの周面上部であって、第２逆浸透膜モジュール２０における第２圧力容器２１の導出ポート２３に対応する位置に形成されている。この合流用導入ポート２３ａは、第２圧力容器２１の導出ポート２３と接続されている。
【０１０１】
なお、第１圧力容器１１、第２圧力容器２１、及び第３圧力容器２１ａにおける分流用導出ポート１４、合流用導入ポート１５、導入ポート２２、導出ポート２３、分流用導出ポート２２ａ、及び合流用導入ポート２３ａは、互いに隣接する第１圧力容器１１と第３圧力容器２１ａとの関係、及び第３圧力容器２１ａと第２圧力容器２１との関係において、特許請求の範囲にいう「導出入ポート」に相当する。
【０１０２】
また、第１圧力容器１１と第３圧力容器２１ａとの関係において、第１圧力容器１１は、特許請求の範囲にいう「一方の圧力容器」に相当し、第３圧力容器２１ａは、特許請求の範囲にいう「他方の圧力容器」に相当する。
【０１０３】
また、第３圧力容器２１ａと第２圧力容器２１との関係において、第３圧力容器２１ａは、特許請求の範囲にいう「一方の圧力容器」に相当し、第２圧力容器２１は、特許請求の範囲にいう「他方の圧力容器」に相当する。
【０１０４】
このような逆浸透処理装置Ａ４においては、被処理水が導入される導入ポート１２の位置を変更することもできる。
図９は、逆浸透処理装置Ａ４において、被処理水が導入される導入ポート１２の位置を変更したものの概略構成を示す断面図である。
【０１０５】
図９に示すように、導入ポート１２は、分流用導出ポート１４と導入ポート２２との接合部に設けることもできる。
図９に示すように、分流用導出ポート１４と導入ポート２２との間には、導入ポート１２を有する配管４９が配置されている。ちなみに、導出ポート２３と合流用導入ポート１５との間には、導入ポート１２を有しない配管４９が配置されている。
【０１０６】
以上のような第３変形例に係る逆浸透処理装置Ａ４によれば、前記実施形態に係る逆浸透処理装置Ａ１と同様の作用効果を奏することができるとともに、互いに並列に接続された第１圧力容器１１、第３圧力容器２１ａ、及び第２圧力容器２１のそれぞれに被処理水を通流させることができ、逆浸透膜の膜面積を一層増大させることができる。
したがって、この逆浸透処理装置Ａ４によれば、被処理水の処理能力を一段と向上させることができる。
【０１０７】
（第４変形例）
次に、前記実施形態に係る逆浸透処理装置Ａ１の第４変形例について説明する。この変形例において、前記実施形態と同一の構成要素には同一の符号を付してその詳細な説明は省略する。
図１０は、逆浸透処理装置Ａ１（図２参照）の第４変形例の概略構成を示す断面図である。
【０１０８】
図１０に示すように、第４変形例に係る逆浸透処理装置Ａ５は、前記実施形態に係る逆浸透処理装置Ａ１での第１逆浸透膜モジュール１０と、第２逆浸透膜モジュール２０との間に、上から下に向かって、前記第３変形例での第３逆浸透膜モジュール２０ａ（図８参照）を２つと、第４逆浸透膜モジュール１０ａとが介在している。
【０１０９】
第１逆浸透膜モジュール１０は、後記する合流用導入ポート１３ａを有する以外は、前記実施形態での第１逆浸透膜モジュール１０と同様に構成されている。つまり、第１逆浸透膜モジュール１０における第１圧力容器１１は、合流用導入ポート１３ａに加えて、導入ポート１２と、導出ポート１３と、分流用導出ポート１４と、合流用導入ポート１５と、を有している。
【０１１０】
第４逆浸透膜モジュール１０ａは、第１逆浸透膜モジュール１０の上方でこれに隣接するように配置されている。
この第４逆浸透膜モジュール１０ａは、後記する導出ポート１５ａを有する以外は、前記実施形態での第１逆浸透膜モジュール１０と同様に構成されている。つまり、第４逆浸透膜モジュール１０ａにおける第５圧力容器１１ａは、導出ポート１５ａに加えて、導入ポート１２と、導出ポート１３と、分流用導出ポート１４と、合流用導入ポート１５と、を有している。
【０１１１】
そして、第１逆浸透膜モジュール１０における第１圧力容器１１の合流用導入ポート１３ａは、第４逆浸透膜モジュール１０ａにおける第５圧力容器１１ａの導出ポート１３と対応するように形成されている。この合流用導入ポート１３ａは、これに対応する導出ポート１３と接続されている。
【０１１２】
また、第１逆浸透膜モジュール１０における第１圧力容器１１の合流用導入ポート１５は、第４逆浸透膜モジュール１０ａにおける第５圧力容器１１ａの導出ポート１５ａと接続されている。
【０１１３】
また、第１逆浸透膜モジュール１０における第１圧力容器１１の分流用導出ポート１４は、第４逆浸透膜モジュール１０ａにおける第５圧力容器１１ａの導入ポート１２と接続されている。
【０１１４】
そして、第５圧力容器１１ａの分流用導出ポート１４は、第３逆浸透膜モジュール２０ａの導入ポート２２と接続され、第５圧力容器１１ａの合流用導入ポート１５は、第３逆浸透膜モジュール２０ａの導出ポート２３と接続されている。
また、２つの第３逆浸透膜モジュール２０ａの第３圧力容器２１ａ同士は、分流用導出ポート２２ａと導入ポート２２とが接続されるとともに、合流用導入ポート２３ａと導出ポート２３とが接続されている。
【０１１５】
そして、第３逆浸透膜モジュール２０ａの第３圧力容器２１ａと、第２逆浸透膜モジュール２０の第２圧力容器２１とは、分流用導出ポート２２ａと、導入ポート２２とが接続されるとともに、合流用導入ポート２３ａと導出ポート２３とが接続されている。
【０１１６】
以上のような第３変形例に係る逆浸透処理装置Ａ２によれば、前記実施形態に係る逆浸透処理装置Ａ１と同様の作用効果を奏することができるとともに、互いに並列に接続された第１圧力容器１１、第５圧力容器１１ａ、２つの第３圧力容器２１ａ、及び第２圧力容器２１のそれぞれに被処理水を通流させることができ、逆浸透膜の膜面積を一層増大させることができる。
したがって、この逆浸透処理装置Ａ２によれば、被処理水の処理能力を一段と向上させることができる。
【０１１７】
（第５変形例）
次に、前記実施形態に係る逆浸透処理装置Ａ１の第５変形例について説明する。この変形例において、前記実施形態と同一の構成要素には同一の符号を付してその詳細な説明は省略する。
図１１は、逆浸透処理装置Ａ１（図２参照）の第５変形例の概略構成を示す断面図である。
【０１１８】
図１１に示すように、第５変形例に係る逆浸透処理装置Ａ６は、逆浸透処理装置Ａ１（図２参照）において、第２圧力容器２１に被処理水の導入ポート２９を設けた構成となっている。
この逆浸透処理装置Ａ６では、第２圧力容器２１の一端側（図１１の紙面左側）に被処理水の導入ポート２９を設けている。これにより被処理水は、逆浸透処理装置Ａ１（図２参照）での導入ポート２２に対応するポートを介して被処理水が第１圧力容器１１に分流される。また、第２圧力容器２１から排出される濃縮水は、逆浸透処理装置Ａ１（図２参照）での導出ポート２３に対応するポートを介して第１圧力容器１１内に合流することとなる。
【０１１９】
以上のような第５変形例に係る逆浸透処理装置Ａ６によれば、前記実施形態に係る逆浸透処理装置Ａ１と同様の作用効果を奏することができるとともに、逆浸透処理装置Ａと比べて被処理水を導入ポート２９を介して第２圧力容器２１を導入し、その濃縮水を第１圧力容器１１内に合流させる経路長を短縮することができる。
つまり、逆浸透処理装置Ａ６によれば、逆浸透処理装置Ａと比べて濃縮水を第１圧力容器１１内に合流させるまでの圧力損失を低減させることができる。
【０１２０】
（第６変形例）
次に、前記実施形態に係る逆浸透処理装置Ａ１の第６変形例について説明する。この変形例において、前記実施形態と同一の構成要素には同一の符号を付してその詳細な説明は省略する。
【０１２１】
図１２は、逆浸透処理装置Ａ１（図２参照）の第６変形例の概略構成を示す一部断面図を模式図である。図１３は、図１２の第６変形例における流量調整機構の第１応用例を示す模式図である。図１４は、図１２の第６変形例における流量調整機構の第２応用例を示す模式図である。図１５は、図１２の第６変形例における流量調整機構の第３応用例を示す模式図である。なお、図１２から図１５において、第１逆浸透膜モジュール１０の一部はその記載を省略している。
【０１２２】
図１２に示すように、第６変形例に係る逆浸透処理装置Ａ７は、逆浸透処理装置Ａ１（図２参照）において、透過水取出配管１６と透過水取出配管２４とが合流する合流配管１６ａと、この合流配管１６ａを通流する透過水の流量を調整する流量調整機構６０を備えた構成となっている。
【０１２３】
この第６変形例での流量調整機構６０は、合流配管１６ａを通流する透過水の圧力を検出してその検出信号を出力する圧力計６１と、合流配管１６ａを通流する透過水の流量を検出してその検出信号を出力する流量計６２と、合流配管１６ａを通流する透過水の流量を調節する流量調整バルブ６３と、制御部６５と、を備えている。
【０１２４】
この第６変形例における圧力計６１と流量計６２とは、流量調整バルブ６３の上流側で合流配管１６ａに設けられている。流量計６２は、流量調整バルブ６３の下流側に設けることもできる。
【０１２５】
制御部６５は、圧力計６１及び流量計６２の出力する検出信号に基づいて流量調整バルブ６３の開度を調節するようになっている。この逆浸透処理装置Ａ７では、透過水取出配管１６に圧力計６１と流量計６２の両方を設けてこれらの出力信号に基づいて制御部６５が流量調整バルブ６３の開度を調節するようになっているが、本発明は、圧力計６１及び流量計６２のうちの少なくとも一方を設けて、その一方の出力信号に基づいて制御部６５が流量調整バルブ６３の開度を調節する構成とすることができる。つまり、逆浸透処理装置Ａ７は、圧力計６１のみを透過水取出配管１６に設ける構成とすることもできるし、流量計６２のみを透過水取出配管１６に設ける構成とすることもできる。
【０１２６】
次に、逆浸透処理装置Ａ７の奏する作用効果について説明する。
逆浸透処理装置Ａ１（図２参照）では、供給配管４０から導入される被処理水を逆浸透膜エレメント３０にてろ過処理（逆浸透処理）を行う際に、透過水取出配管１７と比較して供給配管４０に近い透過水取出配管１６，２４での透過水量は多くなる傾向にある。
これに対して、逆浸透処理装置Ａ７では、透過水取出配管１６，２４を合流させた合流配管１６ａを設けるとともに、この合流配管１６ａの透過水の流量を調整する流量調整機構６０を備えている。具体的には、圧力計６１及び流量計６２の出力する検出信号に基づいて流量調整バルブ６３の開度を調節する制御部６５によって、逆浸透処理装置Ａ７は、合流配管１６ａの透過水の流量を調整するようになっている。
したがって、この逆浸透処理装置Ａ７によれば、逆浸透処理装置Ａ７から透過水を取り出す複数のルート（合流配管１６ａ，１７）での透過水の流量のそれぞれを略等しくすることができる。
【０１２７】
図１３に示す流量調整機構６０の第１応用例では、前記の流量調整バルブ６３に代えてエネルギ回収装置６４が、圧力計６１及び流量計６２の下流側に設けられている。なお、流量計６２は、エネルギ回収装置６４の下流側に設けることもできる。
【０１２８】
エネルギ回収装置６４は、透過水のもつエネルギ（特に、運動エネルギ）を機械的エネルギとして取り出すものである。このエネルギ回収装置６４としては、例えば、ベルトン型、フランシス型、ターボ型、圧力交換型等のものを挙げることができるが、これらに限定されるものではない。
このエネルギ回収装置６４は、前記のように合流配管１６ａを通流する透過水のもつエネルギを回収するように構成されているが、前記の制御部６０によりエネルギ回収装置６４を通流する透過水の流量が制御されるようになっている。つまり、制御部６５は、圧力計６１及び流量計６２の出力する検出信号に基づいてエネルギ回収装置６４を通流する透過水の流量を制御するようになっている。
【０１２９】
この第１応用例の流量調整機構６０を有する逆浸透処理装置Ａ７は、図１２に示す逆浸透処理装置Ａ７と同様の作用効果を奏するとともに、エネルギ回収装置６４によって、透過水のもつエネルギ取り出すことができる。
【０１３０】
図１４に示す流量調整機構６０の第２応用例では、合流配管１６ａの上流側から下流側に向けて、圧力計６１、エネルギ回収装置６４、流量調整バルブ６３、及び流量計６２がこの順番に配置されている。
この第２応用例では、エネルギ回収装置６４と流量調整バルブ６３との両方で合流配管１６ａを通流する透過水の流量を調整することができる。
【０１３１】
図１５に示す流量調整機構６０の第３応用例においては、前記の第２応用例で互いに直列に配置されたエネルギ回収装置６４及び流量調整バルブ６３のうち、流量調整バルブ６３が合流配管１６ａから分岐するバイパス配管１６ｂ上に設けられることで、エネルギ回収装置６４と流量調整バルブ６３とが並列になっている。
この第３応用例によっても、エネルギ回収装置６４と流量調整バルブ６３との両方で合流配管１６ａを通流する透過水の流量を調整することができる。なお、この第３応用例においては、流量計６２は、合流配管１６ａに対するバイパス配管１６ｂの合流部よりも下流側に設けることが望ましい。
【符号の説明】
【０１３２】
１０    第１逆浸透膜モジュール
１０ａ  第４逆浸透膜モジュール
１１    第１圧力容器
１１ａ  第５圧力容器
１２    導入ポート
１３    導出ポート
１３ａ  合流用導入ポート（導出入ポート）
１４    分流用導出ポート（導出入ポート）
１５    合流用導入ポート（導出入ポート）
１５ａ  導出ポート（導出入ポート）
１６    透過水取出配管
１６ａ  合流配管
１６ｂ  バイパス配管
１７    透過水取出配管
１９    洗浄液導入ポート
２０    第２逆浸透膜モジュール
２０ａ  第３逆浸透膜モジュール
２１    第２圧力容器
２１ａ  第３圧力容器
２２    導入ポート（導出入ポート）
２２ａ  分流用導出ポート（導出入ポート）
２３    導出ポート（導出入ポート）
２３ａ  合流用導入ポート（導出入ポート）
２４    透過水取出配管
２９    導入ポート（導出入ポート）
３０    逆浸透膜エレメント
４０    供給配管
４１    取出配管
５０    洗浄機構
６０    流量調整機構
６１    圧力計
６２    流量計
６３    流量調節バルブ
６４    エネルギ回収装置
６５    制御部
Ａ１    逆浸透処理装置
Ａ２    逆浸透処理装置
Ａ３    逆浸透処理装置
Ａ４    逆浸透処理装置
Ａ５    逆浸透処理装置
Ａ６    逆浸透処理装置
Ａ７    逆浸透処理装置
Ｓ      ろ過処理システム
Ｗ１    透過水
Ｗ２    濃縮水
【図１】
0006399896.tif 000003
【図２】
0006399896.tif 000004
【図３】
0006399896.tif 000005
【図４】
0006399896.tif 000006
【図５】
0006399896.tif 000007
【図６】
0006399896.tif 000008
【図７】
0006399896.tif 000009
【図８】
0006399896.tif 000010
【図９】
0006399896.tif 000011
【図１０】
0006399896.tif 000012
【図１１】
0006399896.tif 000013
【図１２】
0006399896.tif 000014
【図１３】
0006399896.tif 000015
【図１４】
0006399896.tif 000016
【図１５】
0006399896.tif 000017